(57)【特許請求の範囲】
【請求項１】
複数の樹脂パレットを平面的にほぼ正方形になるように並置整列させて構成された競技台と、その競技台の四隅に設けられ台座上に固定されたポールと、前記ポールの前記競技台より下方でそのポールを中央に向かって牽引するブレスと、前記ポールの前記競技台より上方で前記競技台の周辺に添った互いのポールを独立的に牽引するロープとを有し、前記競技台は前記ブレスや前記ロープの牽引力に対抗するように前記ポールに当接されていることを特徴とする競技リング。
【請求項２】
前記樹脂パレットの互いに隣接する交点には、それら隣接した樹脂パレットを接続支持するための高さ調整付きの支持手段が設けられていることを特徴とする前記請求項１記載の競技リング。
【請求項３】
前記支持手段は、伸縮可能でその伸縮した状態を固定できる複数本の支柱と、該支柱の上方に設けられた支持台と、該支持台に設けられた前記樹脂パレットの固定手段を具備していることを特徴とした前記請求項２記載の競技リング。
【発明の詳細な説明】
【技術分野】
【０００１】  本発明は、ボクシング競技等に好適な競技リングに関する。
【背景技術】
【０００２】  従来より、ボクシングやレスリングに用いられる競技リングは、丈夫な剛性金属枠の内部を区切り、その中に剛性金属枠に木床を貼った金属枠木製パレットを並置整列させてこれらの上下左右を金具で固定して競技台とし、その競技台の四隅にあたる部分の床面に穴をあけてポールを立て、その競技台の下方でそのポールを対角線に牽引してポールを固定し、ポールの競技台より上方で競技台を１周するようにロープをリングに通して競技リングを構成していた。また、他の床競技においては、特開２００９−５６１９６号公報に示されるように、競技台を複数のパレットをつなぎ合わせるような台座で結合して構成するものもあった。
【先行技術文献】
【特許文献】
【０００３】
【特許文献１】  特開２００９−５６１９６号公報
【発明の概要】
【発明が解決しようとする課題】
【０００４】  しかしながら、剛性金属枠と金属枠木製パレットの競技リングは丈夫ではあるが重く、かつ競技台の水平面を保つのが困難で、更には組立てが重労働で危険な作業であり、作業時にはリングの上部下部にそれぞれ一人を配置し、二人同時に作業をしなくては組み立てができないという不便さがある。また、ポールを立てるために、あけた穴が十分でなかったり穴をあけることができない場合にはロープに競技者などが寄りかかる動作によってリング自体がよじれてしまう傾向がある。更には、床を分割するとさらに水平が保てなくなり、パレットが外れるという競技者にとって危険が伴い、その競技台を使うのは器械体操のような軽度の競技に限られる。
【課題を解決するための手段】
【０００５】  そこで、複数の樹脂パレットを平面的にほぼ正方形になるように並置整列させて構成された競技台と、その競技台の四隅に設けられ台座上に固定されたポールと、そのポールの競技台より下方でそのポールを中央に向かって牽引するブレスと、ポールの競技台より上方で競技台の周辺に添った互いのポールを独立的に牽引するロープとを有し、競技台はポールをほぼ中央において、ブレスやロープの牽引力に対抗するように当接させた。
また、より好ましくは、その樹脂パレットの互いに隣接する交点には、それら隣接した樹脂パレットを接続支持するための高さ調整付きの支持手段を設け、その支持手段は、伸縮可能でその伸縮した状態を固定できる複数本の支柱と、支柱の上方に設けられた支持台と、その支持台に設けられた樹脂パレットの固定手段で構成しており、その接続固定方法は樹脂パレットが隣接する交点を上部からの接続固定作業（ナットの締め付け）だけに短縮したため、二人同時による作業はなくなり、一人の作業で効率よく容易に出来るようになった。
【発明の効果】
【０００６】  このように、樹脂パレットを使うことによって競技台が軽量で組立てやすく、その樹脂パレットを基本としてポールを配置して下側では中心に向かって牽引し、上側では互いにポールを独立懸架したので、ポールのそれぞれを台の上に置いただけでも競技リングがねじれることもなく堅牢な競技リングが提供できる。
さらに樹脂パレットの四隅を高さ調節式の支持手段で固定的に接続支持するので、水平が保ちやすくしかも樹脂パレットが外れない。
また軽量化により１０ｔ車から４ｔ車で運搬可能となったため、作業人数も１０名から４人程度での作業が可能になり、作業時間は４時間程度の速さで完了することができる。これに伴い、２階以上の建物へも容易に運べるようになった。
更には樹脂パレットの配列や枚数を変えることが可能なので、競技リングのサイズ変更と形の変更ができ、設置場所の用途に応じた対応が出来る。
【図面の簡単な説明】
【０００７】
【図１】本発明実施例の競技リングの要部斜視図（ａ）とロープ牽引部の説明図（ｂ）。
【図２】本発明実施例の競技リングの固定手段を省略した背面図。
【図３】本発明実施例の競技リングにおける固定手段の要部断面図（ａ）と要部分解斜視図（ｂ）。
【発明を実施するための形態】
【０００８】  本発明においては複数の樹脂パレット１を平面的にほぼ正方形になるように並置整列させて競技台１０を構成している。競技台１０の四隅には台座２１上に固定されたポール２を配置している。ポール２の競技台１０より下方には中央に向かって牽引するブレス３を設け、ポール２の競技台１０より上方では独立に牽引するロープ４を設け、ポールをほぼ中央においてブレス３やロープ４の牽引力に対抗するように競技台を当接させている。また、樹脂パレット１の互いに隣接する交点には、それら隣接した樹脂パレット１を接続支持するための高さ調整付きの支持手段５が設けられている。
【実施例】
【０００９】  図１ないし図２において、１０は複数の樹脂パレット１を平面的にほぼ正方形になるように並置整列させて構成された競技台である。樹脂パレット１は、例えばトレー型または箱型で、トレー型の場合は底面を上にして組み立てる。その樹脂パレット１は、例えば幅８０ｃｍ〜１２０ｃｍ、奥行８０ｃｍ〜１２０ｃｍ、厚さ１０ｃｍ〜１８ｃｍのポリプロピレンからなり、耐荷重は１ｔまで可能とするものである。樹脂パレット１の中央部（底面）は格子状簀子を形成されているためクッション性に優れているが周縁部は枠体なので十分な強度を得ることができる。樹脂パレット１の互いに隣接する交点には、後述するように、それら隣接した樹脂パレット１を接続支持するための高さ調整付きの支持手段５が設けられるため、樹脂パレットにはナット５４を埋め込むための窪みをもった孔がある。
１１は厚さ０．２ｃｍ〜１ｃｍからなる補強用の鉄板で、樹脂パレット１の四隅それぞれの下面側に固定していることで耐荷重１ｔに耐えられるように補強されている。鉄板１１には樹脂パレット１の上述した孔と共にボルト５３が差し通るための直径１ｃｍ〜２ｃｍの孔があいている。固定用のボルト５３のほかに位置決め用のピンとか回転防止のボルトを設けたい場合には、鉄板１１の孔の数を必要に応じて増やしてもよい。
このような競技台１０は、必要に応じて、表面に敷台やマットを積層してもよい。【００１０】  ２は鉄柱製とかアルミ製もしくはステンレス製のポールで、競技台１０の四隅に設けられ、それぞれが台座２１上に固定されており、直径１０ｃｍ〜２０ｃｍの円柱、若しくは１０ｃｍ〜２０ｃｍの角柱で、高さは１５０ｃｍ〜２５０ｃｍである。
３は、ポール２の競技台１０より下方でそのポール２を中央に向かって牽引するブレスで、ブレス３そのもの（材料）は従来から用いられてきたものである。このブレス３は、以下に述べるロープ４とでポール２に対する牽引力を持つもので、競技台１０のポール２への当接部分を支点にバランスさせるように作用する。【００１１】  ４は、１本が直径２ｃｍ〜４ｃｍで、競技台１０によって規制される競技範囲に応じた長さの、強度５ｔに対応できるステンレス製のワイヤーからなり、外側をビニール管で覆われたロープである。
このロープ４は、四隅にあるポール２ごとにそれぞれ独立して取り付けられており、ポール２とロープ４の張り具合の調整は取り付け金具２３により可変できるようになっている。競技台１０の一側面に３本ずつを上下同列に配置し、リング全体を囲う構成になっている。必要に応じて一側面に４本ずつを設けてもよい。【００１２】  図３において、５は鉄製の支持手段で、幅２０ｃｍ〜５０ｃｍ、奥行２０ｃｍ〜５０ｃｍ、厚さ１ｃｍ〜４ｃｍからなる２枚の鉄板５２ａ、５２ｂの間に、４本の鉄製支柱５１を正四角形の頂点になるように配置し、鉄板５２と鉄製支柱５１が固定されたものである。
上側の鉄板５２ｂの上面にはボルト５３が四方に１本ずつ接合されており、鉄板１１と樹脂パレット１にあいている孔にボルト５３を通し、ナット５４で樹脂パレット１を固定する。その際に、鉄板５２ａ、５２ｂ間の４本の鉄製支柱５１についているボルトで調節することにより、高さ５０ｃｍ〜１００ｃｍまでの高さ調整が行うことが出来る。鉄製支柱５１はボルトの代わりに、同軸上に直径がわずかに異なる円筒を差し込んでその差し込み具合で伸縮できるように構成してもよい。最大に高い位置の（伸ばした）状態でも耐荷重は１０ｔあり、安全性も高い。また鉄製支柱５１を正四角形に配置することで、作業効率が上がり、強度バランスにも最適な配置である。
このように各樹脂パレット１は支持手段５にボルト固定されるので、樹脂パレット１が外れたり段違いになることはなく安全で、しかも、組み立ては表からのナット締めだけなので作業性がよくなる。しかもその支持手段５ごとに高さ調整ができるので、競技台１０の水平が保ちやすく、接地面が傾斜していたり、部分的に凹凸があっても、競技リングを設置することができる。
【産業上の利用可能性】
【００１３】  本発明は、上述のように、ポール２の競技台１０より下方でそのポール２を中央に向かって牽引するブレス３と、ポール２の競技台１０より上方で競技台１０の周辺に添った互いのポール２を独立的に牽引するロープ４とを有し、競技台１０はポール２をほぼ中央においてブレス３やロープ４の牽引力に対抗するように当接されていることを特徴とする。このリングの上部はロープ４を独立して牽引し、下部はブレス３で対角線上に独立して牽引することにより、ポール４をリング設置床面と接続しないことで、全体のバランスを取ることが出来、全体的なよじれを修正することができる。そしてリング全体は堅牢なので、軽体操などだけではなく、ボクシングや格闘技にも使用できる。
【符号の説明】
【００１３】１  樹脂パレット
１０  競技台
１１  鉄板
２  ポール
２１  台座
３  ブレス
４  ロープ
５  支持手段
５１  鉄製支柱
５２  鉄板
５３  ナット
５４  ボルト
【図１】
0005435374.tif 000002
【図２】
0005435374.tif 000003
【図３】
0005435374.tif 000004